(57)【要約】【課題】厳しい条件下にある壁高欄の伸縮間隙をカバープレートで覆うに当たり、カバープレートの破損や劣化に際し、容易に対応できる被覆構造を提供する。【解決手段】本発明にかかる第一の伸縮間隙被覆構造では、伸縮間隙(9)を挟んで相対する壁高欄(7,8)に、該壁高欄の断面形状に適合するように成形したカバープレート(10)を、該伸縮間隙を覆って架設し、該カバープレートを該壁高欄の一方の壁高欄に固定する。本発明に係る第二の伸縮間隙被覆構造では、上記第一の構造における壁高欄の少なくとも内面(15,16)にカバープレート(10)の厚みに適合しかつ該壁高欄の伸縮時のカバープレート(10)の移動を許容する凹部(39,40)を形成し、該壁高欄の該凹部での断面形状に適合するように成形したカバープレート(10)を、該壁高欄に該凹部で該伸縮間隙を覆って架設し、該カバープレートを、該壁高欄の一方の凹部に移動間隙を残して、他方の壁高欄に固定する。【選択図】  図１
2007314977.tif 000002
【特許請求の範囲】
【請求項１】
伸縮間隙(9)を挟んで相対する壁高欄(7,8)に、該壁高欄(7,8)の断面形状に適合するように成形したカバープレート(10)を、該伸縮間隙(9)を覆って架設し、該カバープレート(10)を該壁高欄(7,8)の一方の壁高欄に固定したことを特徴とする壁高欄の伸縮間隙被覆構造。
【請求項２】
該カバープレート(10)は該壁高欄(7,8)の天端面(12)と同水準面で内面用部(17)と外面用部(18)に分かれている請求項１に記載の壁高欄の伸縮間隙被覆構造。
【請求項３】
該外面用部(18)は下端が該壁高欄(7,8)の下端より下方へ垂下して水切り部(21)を形成している請求項２に記載の壁高欄の伸縮間隙被覆構造。
【請求項４】
該内面用部(17)と該外面用部(18)は、該壁高欄(7,8)内を貫通するケーブル(22)の最下層のケーブル(22a)の下側を該ケーブルから距離をおいて該伸縮間隙(9)内で横切る脱落防止具(23)により、連繋されている請求項２又は３に記載の壁高欄の伸縮間隙被覆構造。
【請求項５】
該脱落防止具(23)は取付具(24)と連繋具(25)で構成され、該取付具(24)は該内面用部(17)と該外面用部(18)の少なくとも一方に取付けられ、該連繋具(25)は一端が該取付具(24)の取付けられていない該内面用部(17)又は該外面用部(18)に取付けられると共に他端が該取付具(24)に釈放自在に係合している請求項４に記載の壁高欄の伸縮間隙被覆構造。
【請求項６】
該脱落防止具(23)は取付具(24)と連繋具(25)で構成され、該取付具(24)は一対で該内面用部(17)と該外面用部(18)に各別に取付けられ、該連繋具(25)は両取付具(24)を、少なくとも一方の該取付具(24)は釈放自在に、連繋している請求項４に記載の壁高欄の伸縮間隙被覆構造。
【請求項７】
該取付具(24)は一端に係合部(26)を有し、他端が該内面用部(17)又は該外面用部(18)に固着され、該連繋具(25)は該取付具(24)の該係合部(26)と係合する端部に逆止爪付きのフック(27)を備えている請求項５又は６に記載の壁高欄の伸縮間隙被覆構造。
【請求項８】
該取付具(24)は一対の皿ボルト(28,29)を全体として不連続部(30)のあるＵ字状に構成したもので、両端の皿部(31,32)と、該皿部(31,32)と各別に相対するナット(33,34)により、該内面用部(17)及び該外面用部(18)の少なくとも一方を挟着しており、該連繋具(25)は該不連続部(30)を通って該取付具(24)に対し係脱自在で、該不連続部(30)は該不連続部(30)を挟んで両側部分に形成したねじ(35,36)に各別に螺合したナット(37,38)の接離により該不連続部(30)が開閉されるようになっている請求項５、６又は７に記載の壁高欄の伸縮間隙被覆構造。
【請求項９】
該取付具(24)は一対の皿ボルト(28,29)を全体として不連続部(30)のあるＵ字状に構成したもので、両端の皿部(31,32)と、該皿部(31,32)と各別に相対するナット(33,34)により、該不連続部(30)を閉止した状態で該内面用部(17)及び該外面用部(18)の少なくとも一方を挟着しており、一方の皿ボルト(29)を取り外して該連繋具(25)が取り外されるようになっている請求項５、６又は７に記載の壁高欄の伸縮間隙被覆構造。
【請求項１０】
伸縮間隙(9)を挟んで相対する壁高欄(7,8)の少なくとも内面(15,16)にカバープレート(10)の厚みに適合しかつ該壁高欄(7,8)の伸縮時のカバープレート(10)の移動を許容する凹部(39,40)を形成し、該壁高欄(7,8)の該凹部(39,40)での断面形状に適合するように成形したカバープレート(10)を、該壁高欄(7,8)に該凹部(39,40)で該伸縮間隙(9)を覆って架設し、該カバープレート(10)を、該壁高欄(7,8)の一方の凹部に移動間隙を残して、他方の壁高欄に固定したことを特徴とする壁高欄の伸縮間隙被覆構造。
【発明の詳細な説明】
【技術分野】
【０００１】
本発明は、鉄道橋や道路橋等の橋梁の壁高欄の伸縮間隙被覆構造に関する。
【背景技術】
【０００２】
壁高欄には橋梁床版の伸縮間隙に対応して伸縮間隙が設けられ、温度変化による壁高欄の膨脹や収縮に順応している。壁高欄の内部には通信用等のケーブルの保護管がその全長に亘って埋設されており、この保護管内をケーブルが貫通している。このケーブルは高欄の伸縮間隙で空中に露出し、風雨に曝されるため、それを防ぐ対策が講じられている。更に、壁高欄の伸縮空間を覆ってカバーを設けることも提案されている（特開２００３−１
９４２７１号）。
【特許文献１】特開２００３―１９４２７１号
【発明の開示】
【発明が解決しようとする課題】
【０００３】
特開２００３―１９４２７１号に開示されたカバーは、同公報の００２６段落の記載中で「蓋部材１４」で表現されている。即ち、「さらに、この連結部材６は、橋梁の緩衝部１３に配置され、外気に曝されるものであるので、緩衝部１３の上面開口部、左右の側面開口部を閉止することのできる蓋部材１４を緩衝部１３の外側に取り付けることによって、連結部材６の劣化、ひいては蛇腹管３の劣化をよりよく防止することができる。」とある。そして、この「蓋部材（カバー）１４」は図１と図１３に、想像線で表示されている。
【０００４】
ここに示された「蓋部材（カバー）１４」は単に「緩衝部１３の外側に取り付ける」とだけあって、具体的な取付方法は何ら開示されていない。露天で風雨にさらされるかなり過酷な条件下で供用される壁高欄の伸縮間隙部のカバーとしては、その保守に最大限の対策が講じられるべきであるのに、それに関する技術的開示がなく、示唆もない。
本発明は、このように厳しい条件下にある壁高欄の伸縮間隙をカバープレートで覆うに当たり、被覆構造をどのような構成にしたら、カバープレートの破損や劣化に際し、容易に対応できるかを鋭意検討して、完成されたものである。
【課題を解決するための手段】
【０００５】
本発明にかかる第一の壁高欄の伸縮間隙被覆構造は、伸縮間隙を挟んで相対する壁高欄に、該壁高欄の断面形状に適合するように成形したカバープレートを、該伸縮間隙を覆って架設し、該カバープレートを該壁高欄の一方の壁高欄に固定したことを特徴とする。
【０００６】
カバープレートは壁高欄の断面形状に適合しているので、このカバープレートを伸縮間隙の両側で相対する壁高欄のそれぞれにこの伸縮間隙を覆って架設すれば、カバープレートの内面がそれぞれの壁高欄の天端面、外面及び内面に密接し、安定した被着が可能となる。このカバープレートを壁高欄の一方の壁高欄にボルトで固定する。他方の壁高欄とカバープレートは相対的に移動自由なので、壁高欄の伸縮による影響を受けない。ボルトに皿ボルトを使用すれば、カバープレートから突き出さないので、衝突などの際に安全であり、いたずらによって外されるのを防げる。
【０００７】
該カバープレートは該壁高欄の天端面と同水準面で内面用部と外面用部に分かれていてもよい。
こうすると、カバープレートの嵩が小さくなるので壁高欄に対する被着が容易となり、外面用部の頂面は内面用部の下面によって被覆されるので雨水を外面用部の外面に沿って流下させることができる。
【０００８】
該外面用部は下端が該壁高欄の下端より下方へ垂下して水切り部を形成していてもよい。
こうすると、雨水は水切り部の下端から滴下するので、雨水が床版下面に回り込むのを阻止でき、鉄筋の腐食等を防止できる。
【０００９】
該内面用部と該外面用部は、該壁高欄内を貫通するケーブルの少なくとも最下層のケーブルの下側を該ケーブルから距離をおいて該伸縮間隙内で横切る脱落防止具により、連繋されていてもよい。
こうすると、該内面用部や該外面用部が衝撃力、振動又は風圧等によって壁高欄から脱落しようとしても、相手方との連繋によりその脱落を阻止でき、安全である。また、衝撃力等で位置がずれた場合の脱落防止具によるケーブルの損傷を防止できる。
【００１０】
該脱落防止具は取付具と連繋具で構成され、該取付具は該内面用部と該外面用部の少なくとも一方に取付けられ、該連繋具は一端が該取付具の取付けられていない該内面用部又は該外面用部に取付けられると共に他端が該取付具に釈放自在に係合していてもよい。
こうすると、取付具は該内面用部又は該外面用部に取り付けられており、連繋具が取付具の取り付けられていない他方に取り付けられているで、取り扱いが容易となる。
【００１１】
該脱落防止具は取付具と連繋具で構成され、該取付具は一対で該内面用部と該外面用部に各別に取付けられ、該連繋具は両取付具を釈放自在に連繋していてもよい。
こうすると、連繋具を取付具から取り外すことができるので、内面用部や外面用部の修理や交換時に連繋具がぶら下がって邪魔になることがない。
【００１２】
該取付具は一端に係合部を有し、他端が該内面用部又は該外面用部に固着され、該連繋具は該取付具の該係合部と係合する端部に逆止爪付きフックを備えていてもよい。    
こうすると、逆止爪付きフックを係合部に係合させるだけで連繋具を取付具に取り付けられ、通常のようにフックを外せば両者の係合を解くことができる。
【００１３】
該取付具は一対の皿ボルトを全体として不連続部のあるＵ字状に構成したもので、両端の皿部と、該皿部と各別に相対するナットにより、該内面用部又は該外面用部を挟着しており、該連繋具は該不連続部を通って該取付具に対し係脱自在で、該不連続部を挟んで両側部分に形成されたねじに各別に螺合したナットの接離により該不連続部が開閉されるようになっていてもよい。
【００１４】
こうすると、皿ボルトの表面は該内面用部又は該外面用部の表面から外方へ突出することがないので、車両等が衝突しても損傷を受けることが少なく、いたずらで取り外される危険性も少なく、取付具が内面用部や外面用部に安定して取り付けられ、連繋具も不連続部の両側部分に螺合したナットの操作によって容易に着脱できる。
【００１５】
該取付具は一対の皿ボルトを全体として不連続部のあるＵ字状に構成したもので、両端の皿部と、該皿部と各別に相対するナットにより、該不連続部を閉止した状態で該内面用部及び該外面用部の少なくとも一方を挟着しており、一方の皿ボルトを取り外して該連繋具が取り外されるようになっていてもよい。
【００１６】
こうすると、連繋具を一方の皿ボルトに係合しておき、一対の皿ボルトを内面用部や外面用部に取り付ける際に不連続部が閉止されるので、不連続部を改めて閉止する必要はなく、取り外す際は他方の皿ボルトを取り外せば簡単に外せる。
【００１７】
本発明に係る第二の壁高欄の伸縮間隙被覆構造は、伸縮間隙を挟んで相対する壁高欄の少なくとも内面にカバープレートの厚みに適合しかつ該壁高欄の伸縮時のカバープレートの移動を許容する凹部を形成する。該壁高欄の該凹部での断面形状に適合するように成形したカバープレートを、該壁高欄に該凹部で該伸縮間隙を覆って架設する。そして、該カバープレートを、該壁高欄の一方の凹部に移動間隙を残して、他方の壁高欄に固定する。
【００１８】
この第二の壁高欄の伸縮間隙被覆構造によると、第一の壁高欄の伸縮間隙被覆構造による作用及び効果に加え、壁高欄の内側でカバープレートの内面が壁高欄の内面と同一平面上に位置することになり、壁高欄の内面から内方へ張り出すことがなくなる。従って、通行に邪魔にならず、また、車両がカバープレートをこすりながら走行する事故が起こった場合に、車両の表面が薄く削ぎ落とされカバープレートと壁高欄の隙間に残留することを防止できる。
【発明の効果】
【００１９】
本発明にかかる第一の壁高欄の伸縮間隙被覆構造によれば、伸縮間隙を挟んで相対する壁高欄に、該壁高欄の断面形状に適合するように成形したカバープレートを、該伸縮間隙を覆って架設し、該カバープレートを該壁高欄の一方の壁高欄に固定したので、このカバープレートを伸縮間隙の両側で相対する壁高欄のそれぞれにこの伸縮間隙を覆って架設すれば、カバープレートの内面がそれぞれの壁高欄の天端面、外面及び内面に密接し、安定した被着が可能となり、このカバープレートは他方の壁高欄に対して相対的に移動自由なので、壁高欄の伸縮による影響を受けない。
【００２０】
請求項２によれば、該カバープレートは該壁高欄の天端面と同水準面で内面用部と外面用部に分かれているので、カバープレートの嵩が小さくでき、壁高欄に対する被着が容易となり、外面用部の頂面は内面用部の下面によって被覆されるので雨水を外面用部の外面に沿って流下させることができる。
【００２１】
請求項３によれば、該外面用部は下端が該壁高欄の下端より下方へ垂下して水切り部を形成しているので、雨水は水切り部の下端から滴下し、雨水が床版下面に回り込むのを阻止でき、鉄筋の腐食等を防止できる。
【００２２】
請求項４によれば、該内面用部と該外面用部は、該壁高欄内を貫通するケーブルの少なくとも最下層のケーブルの下側を該ケーブルから距離をおいて該伸縮間隙内で横切る脱落防止具により、連繋されているので、該内面用部や該外面用部が衝撃力、振動又は風圧等によって壁高欄から脱落しようとしても、相手方との連繋によりその脱落を阻止でき、安全である。また、衝撃力等で位置がずれた場合の脱落防止具によるケーブルの損傷を防止できる。
【００２３】
請求項５によれば、該脱落防止具は取付具と連繋具で構成され、該取付具は該内面用部と該外面用部の少なくとも一方に取付けられ、該連繋具は一端が該取付具の取付けられていない該内面用部又は該外面用部に取付けられると共に他端が該取付具に釈放自在に係合しているので、取り扱いが容易となる。
【００２４】
請求項６によれば、該脱落防止具は取付具と連繋具で構成され、該取付具は一対で該内面用部と該外面用部に各別に取付けられ、該連繋具は両取付具を釈放自在に連繋しているので、連繋具を取付具から取り外すことができ、内面用部や外面用部の修理や交換時に連繋具がぶら下がって邪魔になることがない。
【００２５】
請求項７によれば、該取付具は一端に係合部を有し、他端が該内面用部又は該外面用部に固着され、該連繋具は該取付具の該係合部と係合する端部に逆止爪付きフックを備えているので、逆止爪付きフックを係合部に係合させるだけで連繋具を取付具に取り付けられ、通常のようにフックを外せば両者の係合を解くことができる。
【００２６】
請求項８によれば、該取付具は一対の皿ボルトを全体として不連続部のあるＵ字状に構成され、両端の皿部と、該皿部と各別に相対するナットにより、該内面用部又は該外面用部を挟着しており、該連繋具は該不連続部を通って該取付具に対し係脱自在で、該不連続部を挟んで両側部分に形成されたねじに各別に螺合したナットの接離により該不連続部が開閉されるようになっているので、皿ボルトの表面は該内面用部又は該外面用部の表面から外方へ突出することがなく、車両等が衝突しても損傷を受けることが少なく、いたずらで取り外される危険性も少なく、取付具が内面用部や外面用部に安定して取り付けられ、連繋具も不連続部の両側部分に螺合したナットの操作によって容易に着脱できる。
【００２７】
請求項９によれば、該取付具は一対の皿ボルトを全体として不連続部のあるＵ字状に構成し、両端の皿部と、該皿部と各別に相対するナットにより、該不連続部を閉止した状態で該内面用部及び該外面用部の少なくとも一方を挟着し、一方の皿ボルトを取り外して該連繋具を取り外すようになっているので、連繋具を一方の皿ボルトに係合しておき、一対の皿ボルトを内面用部や外面用部に取り付ければ不連続部が閉止され、不連続部を改めて閉止する必要はなく、取り外す際は他方の皿ボルトを取り外せば簡単に外せる。
【００２８】
請求項１０の本発明に係る第二の壁高欄の伸縮間隙被覆構造によれば、伸縮間隙を挟んで相対する壁高欄の少なくとも内面にカバープレートの厚みに適合しかつ該壁高欄の伸縮時のカバープレートの移動を許容する凹部を形成し、該壁高欄の該凹部での断面形状に適合するように成形したカバープレートを、該壁高欄に該凹部で該伸縮間隙を覆って架設し、該カバープレートを、該壁高欄の一方の凹部に移動間隙を残して、他方の壁高欄に固定するので、第一の壁高欄の伸縮間隙被覆構造による作用及び効果に加え、壁高欄の内側でカバープレートの内面が壁高欄の内面と同一平面上に位置することになり、壁高欄の内面から内方へ張り出すことがなくなる。従って、通行に邪魔にならず、また、車両がカバープレートをこすりながら走行する事故が起こった場合に、車両の表面が薄く削ぎ落とされカバープレートと壁高欄の隙間に残留することを防止できる。
【発明を実施するための最良の形態】
【００２９】
図１は本発明にかかる第一の壁高欄の伸縮間隙被覆構造の具体例を示す一部切断斜面図、図２は図１の矢視Ｂ部も矢視Ｂに示す通り切断して示す図１のＡ−Ａ線断面図、図３は第二の壁高欄の伸縮間隙被覆構造の具体例を示す一部切断斜面図で、全図を通し、同一符号は同一若しくは相応部分を示す。
【００３０】
１及び２は橋梁の床版で、橋軸方向に伸縮間隙３を挟んで相対設され、それぞれの表面に舗装層４及び５が施されている。この伸縮間隙３には通常のように伸縮継手６が設置される。７及び８は壁高欄でそれぞれ床版１及び２の側縁部から起立しており、床版１及び２間の伸縮間隙３に対応して伸縮間隙９が設けられている。１０はカバープレートで、金属やプラスチック等で構成され、壁高欄７及び８の断面形状に適合するように成形される。このカバープレート１０を壁高欄７及び８に伸縮間隙９を覆って架設し、壁高欄７及び８の一方、図示の例では７、に固定する。
【００３１】
カバープレート１０の内面がそれぞれの壁高欄７及び８の天端面１１及び１２、外面１３及び１４及び内面１５及び１６に密接し、安定した被着が可能となる。このカバープレート１０は他方の壁高欄８に対して相対的に移動自在となっており、壁高欄７及び８の相対的伸縮による影響を受けない。
【００３２】
カバープレート１０は壁高欄７又は８の天端面１１又は１２と同水準面で内面用部１７と外面用部１８に分かれていている。
この場合、カバープレート１０の嵩が小さくなるので壁高欄７及び８に対する被着が容易となり、外面用部１８の頂面１９は内面用部１７の下面２０によって被覆されるので、雨水を外面用部１８の外面に沿って流下させることができる。
【００３３】
外面用部１８は下端が壁高欄７や８の下端より下方へ垂下して水切り部２１を形成している。
この場合、雨水は水切り部２１の下端から滴下するので、雨水が床版１や２の下面に回り込むのを阻止でき、鉄筋の腐食等を防止できる。
【００３４】
内面用部１７と外面用部１８は、壁高欄７や８内を貫通するケーブル２２の少なくとも最下層のケーブル２２ａの下側をこのケーブル２２ａから距離をおいて伸縮間隙９内で横切る脱落防止具２３により、連繋されている。
この場合、内面用部１７や外面用部１８が衝撃力、振動又は風圧等によって壁高欄７や８から脱落しようとしても、相手方との連繋によりその脱落を阻止でき、安全である。また、衝撃力等で位置がずれた場合の脱落防止具２３によるケーブル２２や２２ａの損傷を防止できる。
【００３５】
脱落防止具２３は取付具２４と連繋具２５で構成され、この取付具２４は内面用部１７と外面用部１８の少なくとも一方に取付けられ、連繋具２５は一端がこの取付具２４の取付けられていない内面用部１７又は外面用部１８に取付けられると共に他端が取付具２４に釈放自在に係合している。
この場合、取付具２４は内面用部１７又は外面用部１８に取り付けられており、連繋具２５が取付具２４の取り付けられていない他方に取り付けられているで、取り扱いが容易となる。
【００３６】
脱落防止具２３は取付具２４と連繋具２５で構成され、この取付具２４は一対で内面用部１７と外面用部１８に各別に取付けられ、連繋具２５は両取付具２４を釈放自在に連繋している。
この場合、連繋具２５を取付具２４から取り外すことができるので、内面用部１７や外面用部１８の修理や交換時に連繋具２５がぶら下がって邪魔になることがない。
【００３７】
取付具２４は一端に係合部２６を有し、他端が内面用部１７又は外面用部１８に固着され、連繋具２５は取付具２４の係合部２６と係合する端部に逆止爪付きのフック２７を備えている。    
この場合、フック２７を係合部２６に係合させるだけで連繋具２５を取付具２４に取り付けられ、通常のようにフック２７の逆止爪を外せば両者の係合を解くことができる。
【００３８】
取付具２４は一対の皿ボルト２８及び２９を全体として不連続部３０のあるＵ字状に構成したもので、両端の皿部３１及び３２と、これらの皿部３１及び３２と各別に相対するナット３３及び３４により、内面用部１７又は外面用部１８を挟着しており、連繋具２５は不連続部３０を通って取付具２４に対し係脱自在で、不連続部３０を挟んで両側部分に形成されたねじ３５及び３６に各別に螺合したナット３７及び３８の接離により不連続部３０が開閉されるようになっている。
【００３９】
この場合、皿ボルト２８及び２９の表面は内面用部１７又は外面用部１８の表面から外方へ突出することがないので、車両等が衝突しても損傷を受けることが少なく、いたずらで取り外される危険性も少なく、取付具２４が内面用部１７や外面用部１８に安定して取り付けられ、連繋具２５も不連続部３０の両側部分に螺合したナット３７及び３８の操作によって容易に着脱できる。
【００４０】
取付具２４は一対の皿ボルト２８及び２９を全体として不連続部３０のあるＵ字状に構成したもので、両端の皿部３１及び３２と、皿部３１や３２と各別に相対するナット３３や３４により、不連続部３０を閉止した状態で内面用部１７及び外面用部１８の少なくとも一方を挟着しており、他方の皿ボルト２９を取り外して連繋具２５が取り外されるようになっている。従って、一方の皿ボルト２８に対し、あらかじめ皿部３１を設置すれば不連続部３０が閉合する長さの他方の皿ボルト２９を使用すると共に、ナット３４は、皿部３１の着脱時にこの皿ボルト２９が回転しないように、カバープレート１０に充分に固定する。
【００４１】
この場合、連繋具２５を一方の皿ボルト２８に係合しておき、一対の皿ボルト２８及び２９を内面用部１７や外面用部１８に取り付ける際に不連続部３０が閉止されるので、不連続部３０を改めて閉止する必要はなく、取り外す際は他方の皿ボルト２９を取り外せば簡単に外せる。
【００４２】
本発明に係る第二の壁高欄の伸縮間隙被覆構造は、伸縮間隙９を挟んで相対する壁高欄７及び８の少なくとも内面１５及び１６にカバープレート１０の厚みに適合しかつ壁高欄７及び８の伸縮時のカバープレート１０の移動を許容する凹部３９及び４０を形成する。壁高欄７及び８の凹部３９及び４０での断面形状に適合するように成形したカバープレート１０を、壁高欄７及び８に凹部３９及び４０で伸縮間隙９を覆って架設する。そして、カバープレート１０を、壁高欄７及び８の一方、図示の例では８の凹部４０に移動間隙を残して、他方の壁高欄７に、皿ボルト等の固定具４１により固定する。
【００４３】
この第二の壁高欄の伸縮間隙被覆構造によると、第一の壁高欄の伸縮間隙被覆構造による作用及び効果に加え、壁高欄７及び８の内側でカバープレート１０の表面が壁高欄７及び８の内面１５及び１６と同一平面上に位置して内方へ張り出さず、通行に邪魔にならなず、また、車両がカバープレートをこすりながら走行する事故が起こった場合に、車両の表面が薄く削ぎ落とされカバープレートと壁高欄の隙間に残留することを防止できる。
【図面の簡単な説明】
【００４４】
【図１】本発明にかかる第一の壁高欄の伸縮間隙被覆構造の具体例を示す一部切断斜面図である。
【図２】図１の矢視Ｂ部も矢視Ｂに示す通り切断して示す図１のＡ−Ａ線断面図である。
【図３】図２の変形である。
【図４】本発明にかかる第二の壁高欄の伸縮間隙被覆構造の具体例を示す一部切断斜面図である。
【符号の説明】
【００４５】
７、８  壁高欄
９      伸縮間隙
１０    カバープレート
１２    天端面
１７    内面用部
１８    外面用部
２２    ケーブル
２３    脱落防止具
２４    取付具  
２５    連繋具
２６    係合部
２７    フック
２８、２９  皿ボルト
３０    不連続部
３１、３２  皿部
３３、３４  ナット
３５、３６  ねじ
３７、３８  ナット
３９、４０  凹部
【図１】
2007314977.tif 000003
【図２】
2007314977.tif 000004
【図３】
2007314977.tif 000005
【図４】
2007314977.tif 000006